(57)【要約】    【課題】補強コード層の折り返しによるホース径の増大を生じることなく、口金具を強固かつ容易に止着すると共に、補強コード層の緩みやずれを防止することのできる口金具付きゴムホースの提供。    【解決手段】帯状のプライ８を螺旋状に配置して、ホース本体２に補強コード層７ａ、７ｂを設ける。ワイヤ１１を巻き付けて、口金具３の外周側で内層側の補強コード層７ａの外側にビード９を形成する。ビード９を口金具３の外周面の突起１０に係止する。ビード９に掛けて適度な張力を付与しつつプライ８を折り返す。補強コード層７ａ、７ｂを連続させ、各層ごとの端部の折り返しを不要にする。【選択図】  図１
2009014109.tif 000002
【特許請求の範囲】
【請求項１】
ホース本体の端部に口金具を止着してなり、前記ホース本体に、補強コードをホース中心軸に対して傾斜させつつ周方向に配列してなる複数の補強コード層が設けられると共に、隣接する補強コード層の補強コードの傾斜方向が互いに交差するように設定された口金具付きゴムホースであって、
前記補強コード層は、複数の補強コードを有する帯状のプライを螺旋状に配置してなり、該プライが、ホース中心軸に対する補強コードの傾斜方向を反転させつつ、口金具の外周側に配置されたビードに掛けて折り返されることにより、複数の補強コード層が連続して設けられたことを特徴とする口金具付きゴムホース。
【請求項２】
前記口金具の外周面に周方向に連続する突起が形成され、該突起のホース中心軸方向で外端側に前記ビードが係止されたことを特徴とする請求項１に記載の口金具付きゴムホース。
【請求項３】
前記ビードは、内層側の補強コード層の外側にワイヤを複数周に巻き付けることによって形成されたことを特徴とする請求項１又は２に記載の口金具付きゴムホース。
【発明の詳細な説明】
【技術分野】
【０００１】
本発明は、例えば生コンクリート打設用の先端ホースとして使用される口金具付きゴムホースに関するものである。
【背景技術】
【０００２】
一般に、生コンクリート打設用の先端ホースなどの口金具付きゴムホースは、ホース本体の端部に口金具を止着した構造とされ、そのホース本体に設けられた補強コード層の端部を口金具に留めることにより、ホース本体に口金具が強固に止着されている。
【０００３】
また、補強コード層の端部は、口金具の外周側に配置されるビードに掛けるように折り返され、このビード及び補強コード層の折り返しを口金具の突起に係止することにより、補強コード層を口金具に係止することが多い（例えば特許文献１）。
【特許文献１】特開平５−６５９８１号公報
【発明の開示】
【発明が解決しようとする課題】
【０００４】
ところが、特許文献１のように、補強コード層の端部をビードに掛けた構造は、ホース本体と口金具との十分な止着力を得るのに、補強コード層の折り返しを十分な長さに設定する必要があり、補強コード層を折り返した部位のホース径が大きくなる分、口金具付きゴムホースを取り扱いにくくなる。しかも、補強コード層の端部を所定の長さに切断して折り返すため、補強コード層を形成するのに手間が掛かる。
【０００５】
また、上記の構造は、補強コード層の折り返し部に十分な張力を付与することなく単にビードに掛けただけであり、特に、ホース中心軸方向に沿って径が変化する口金具との止着部で、補強コード層の緩みやずれを生じるおそれがある。
【０００６】
本発明は、補強コード層の折り返しによるホース径の増大を生じることなく、口金具を強固かつ容易に止着すると共に、補強コード層の緩みやずれを防止することのできる口金具付きゴムホースの提供を目的とする。
【課題を解決するための手段】
【０００７】
上記目的を達成するため、本発明に係る口金具付きゴムホースは、ホース本体の端部に口金具を止着したものであり、そのホース本体に、補強コードをホース中心軸に対して傾斜させつつ周方向に配列してなる複数の補強コード層を設けると共に、隣接する補強コード層の補強コードの傾斜方向を互いに交差するように設定したものである。さらに、補強コード層は、複数の補強コードを有する帯状のプライを螺旋状に配置したものであり、そのプライを、ホース中心軸に対する補強コードの傾斜方向を反転させつつ、口金具の外周側に配置したビードに掛けて折り返すことにより、複数の補強コード層を連続して設けたものである。
【０００８】
上記構成によれば、補強コード層を構成する帯状のプライをビードに掛けて、複数の補強コード層を連続させるので、補強コード層ごとに端部を折り返すことによるホース径の増大を生じることなく、補強コード層をビードに強固に係止してホース本体に口金具を止着することができ、しかも、補強コード層ごとの端部の切断及び折り返しが不要な分、補強コード層の形成を容易にすることができる。
【０００９】
また、口金具の外周面に周方向に連続する突起を形成し、この突起のホース中心軸方向で外端側にビードを係止すれば、このビードに掛けたプライに適度な張力を付与しつつ、プライを容易かつ正確に折り返すことができるので、口金具近傍の巻き付け径が変化する部位であっても、補強コード層の緩みやずれを防止することができる。
【００１０】
さらに、ビードを、内層側の補強コード層の外側にワイヤを複数周に巻き付けることによって形成すれば、細く柔軟なワイヤの巻き付けによってビードを配置することができるので、内層側及び外層側の補強コード層を形成する間、すなわちプライの巻き付け工程の途中であっても、ビードを容易に配置することができる。
【発明の効果】
【００１１】
以上のとおり、本発明によると、複数の補強コード層をビードに掛けつつ連続させるので、補強コード層ごとの端部の折り返しによるホース径の増大を生じることなく、口金具を強固かつ容易に止着すると共に、張力の付与によって補強コード層の緩みやずれを防止することができる。これにより、口金具付きゴムホースの製品精度を高めると共に、その取り扱いを容易にすることができる。
【発明を実施するための最良の形態】
【００１２】
以下、本発明に係る口金具付きゴムホースを実施するための最良の形態について、図面を用いて説明する。図１は、本発明に係る口金具付きゴムホースを示す図で、外層側のプライを配置する様子を示し、上半分は断面図、下半分は側面図である。図１において、上半分に、外層側のプライ及び外面ゴムを二点鎖線で示し、下半分の左側に、ホース本体の展開図を示す。図２は、図１に示す口金具付きゴムホースの要部拡大図であり、上半分は断面図、下半分は側面図である。
【００１３】
口金具付きゴムホース１は、生コンクリート打設用の先端ホースなどとして使用されるものであり、例えばホース中心軸方向の長さ（Ｌ）と内径（Ｄ）との比（Ｌ／Ｄ）が１０以上の長尺のホース本体２の端部に、例えば鋼製で筒状の口金具３を止着した構造とされる。
【００１４】
ホース本体２は、内面ゴム４と外面ゴム５との間に、補強コード６をホース中心軸に対して傾斜角度（θ）で傾斜させつつ周方向に配列してなる２層の補強コード層７ａ、７ｂを設けた構造とされ、内層側及び外層側の補強コード層７ａ、７ｂの補強コード６の傾斜方向が互いに交差するように設定されている。
【００１５】
補強コード層７ａ、７ｂは、複数の補強コード６を有する帯状のプライ８を内面ゴム４の外側に螺旋状に巻き付けて構成され、そのプライ８を口金具３の外周側に配置されたビード９に掛けて折り返すことにより、ホース中心軸に対する補強コード６の傾斜方向を反転させつつ、２層の補強コード層７ａ、７ｂが連続して設けられている。
【００１６】
プライ８は、複数の補強コード６を平行に並べて薄いシート状のゴムで包んでなり、その全長に渡って等幅（Ｂ）に設定される。プライ８の幅（Ｂ）と、ホース中心軸に対する補強コード６の傾斜角度（θ）とは、プライ８がその側縁をラップさせることなく、かつ隙間を設けることなく配置されるよう設定される。
【００１７】
口金具３は、その内径がホース本体２とほぼ同じ大きさとされ、ホース中心軸方向で内端側の外周面に周方向に連続する突起１０が形成されている。突起１０のホース中心軸方向で外端側に、補強コード層７ａ、７ｂの連続する部位を掛けたビード９が係止されることにより、ホース本体２に口金具３が強固に止着されている。
【００１８】
ビード９は、内層側の補強コード層７ａの外側に、ゴム被覆された単線あるいは撚り線のワイヤ１１を複数周に巻き付けることによって形成されている。
【００１９】
次に、金具付きゴムホースの製造方法を説明する。図３はプライを折り返す様子を示す図である。
【００２０】
製造する口金具付きゴムホース１は、例えば、ホース本体２の補強コード層７ａ、７ｂの平均巻き付け径がφ１１７ｍｍで、ホース中心軸に対する補強コード６の傾斜角度（θ）が７０°であり、ホース本体２の端部に止着する口金具３の外径がφ１１０ｍｍで、突起１０の頂部の径がφ１２５ｍｍ、口金具３の外周面と突起１０の頂部との段差が７．５ｍｍである。
【００２１】
具体的には、まず、マンドレルに口金具３を装着し、マンドレルの周りに内面未加硫ゴムを形成して、この内面未加硫ゴムの端部を口金具３のうちの突起１０の頂部よりも内端側に掛ける。
【００２２】
次いで、プライ８を巻き付け保持するリール１２を、マンドレルの中心軸に対する傾斜角度（θ）を７０°に設定して配置し、このリール１２から引き出したプライ８を内面未加硫ゴムの外側に導く。さらに、マンドレルをその中心軸方向で基端側に移動させつつ回転させることにより、内面未加硫ゴムの周りにプライ８を螺旋状に巻き付けて内層側の補強コード層７ａを形成する。ここで、巻き付け径がφ１１７ｍｍで、傾斜角度（θ）が７０°の場合、プライ８をその側縁をラップさせることなく、かつ隙間を設けることなく巻き付けるよう、プライ８の幅（Ｂ）を１２６ｍｍに設定する。
【００２３】
図３（ａ）に示すように、プライ８の巻き付け位置が口金具３の突起１０を乗り越えたとき、マンドレルの移動及び回転を停止し、内層側の補強コード層７ａの外側に、ゴム被覆したワイヤ１１を巻き付けてビード９を形成しつつ、このビード９を突起１０に係止する。ワイヤ１１は、例えば、φ１ｍｍでゴム被覆後の径がφ１．５ｍｍの撚り線を５周分の長さにカットしたものであり、その先端を突起１０の外端側の面に沿わせて、適度に張力を付与しつつ８ｍｍの幅に５周に巻き付ける。
【００２４】
ここで、ワイヤ１１を巻き付ける際、マンドレルとリール１２との間にプライ８が掛け渡されているので、マンドレルを回転させることなく、ワイヤ１１をマンドレルの周りに回転させて巻き付ける。これにより、マンドレルの回転に伴うリール１２のマンドレルの周りの回転が不要になり、マンドレルを回転させてワイヤ１１を巻き付ける手法よりも装置の構成が簡単になる。
【００２５】
図３（ｂ）に示すように、マンドレルの中心軸と直交する面を対称面としてリール１２を反転させることにより、マンドレルの中心軸に対するリール１２の傾斜方向を反転させつつ、適度に張力を付与しながらプライ８をビード９に掛けて折り返す。さらに、マンドレルをその中心軸方向で先端側に移動させつつプライ８の折り返し前と同じ方向に回転させることにより、内層側の補強コード層７ａの外側にプライ８を螺旋状に巻き付けて、外層側の補強コード層７ｂを形成する。
【００２６】
その後、外層側の補強コード層７ｂの外側に外面未加硫ゴムを形成し、内面未加硫ゴム及び外面未加硫ゴムを加硫成形して、口金具付きゴムホース１を得る。
【００２７】
上記構成によれば、共通のプライ８を折り返して２層の補強コード層７ａ、７ｂを連続して形成するので、補強コード層７ａ、７ｂごとに端部を切断及び折り返す手法よりも、その工程を少なくして補強コード層７ａ、７ｂの形成に要する時間を短くすると共に、容易に自動化を図ることもでき、さらに、口金具付きゴムホース１の製造工数及び設備投資を抑えることができる。
【００２８】
補強コード層７ａ、７ｂごとの端部の折り返しが不要な分、ホース径を小さくして、口金具付きゴムホース１の取り扱いを容易にすることができる。しかも、ビード９の内側を通して折り返す補強コード層の層数を少なくするので、ビード９の内径を小さくして突起１０を低くすることができ、その分、口金具３を小さくかつ安価にすることができる。
【００２９】
補強コード層７ａ、７ｂを連続させることにより、口金具３を引き抜こうとする力を各補強コード層７ａ、７ｂに均一に伝えることができ、しかも、補強コード層７ａ、７ｂを十分な強度のビード９に掛けて突起１０に係止するので、口金具３の止着力を高めて、大きな内圧や引張力に耐えることができる。
【００３０】
ビード９に掛けてプライ８を折り返すので、リール１２の反転により、プライ８を適度な張力を付与しつつ正確かつ容易に折り返すことができる。これにより、例えば口金具３の近傍の巻き径の変化する部位であっても、精度よくかつ緩みやずれを生じることなく補強コード層７ａ、７ｂを形成することができる。
【００３１】
細く柔軟なワイヤ１１を巻き付けてビード９を形成するので、長尺のプライ８の巻き付け中に、リール１２にプライ８を保持したままビード９を形成することができる。また、マンドレルはプライ８を巻き付ける際に一定方向に回転するだけであり、ホース本体２の成型装置を簡単な構成にすることができる。
【００３２】
なお、本発明は、上記の実施の形態に限定されるものではなく、本発明の範囲内において、適宜変更を加えることができる。例えば、口金具付きゴムホース１は、生コンクリート打設用の先端ホース以外の他の用途に使用することもでき、ホース本体２の一端に口金具３を止着するだけでなく、ホース本体２の両端に口金具３を止着することもできる。
【００３３】
プライ８を複数回折り返すことにより、補強コード層の層数を増加させこともできるが、特に、補強コード７の傾斜方向が交差する補強コード層が対をなすよう偶数層の補強コード層を設けるのが好ましい。また、突起１０を設ける代わりに、ビード９を強く締め付けて、摩擦力によって口金具３を止着することもできる。さらに、ホース中心軸を螺旋状に取り巻いて座屈を防止する硬鋼線を付加することもできる。
【図面の簡単な説明】
【００３４】
【図１】本発明に係る口金具付きゴムホースを示す図で、外層側のプライを配置する様子を示し、上半分は断面図、下半分は側面図
【図２】図１に示す口金具付きゴムホースの要部拡大図であり、上半分は断面図、下半分は側面図
【図３】プライを折り返す様子を示す図
【符号の説明】
【００３５】
１    口金具付きゴムホース
２    ホース本体
３    口金具
４    内面ゴム
５    外面ゴム
６    補強コード
７ａ、７ｂ  補強コード層
８    プライ
９    ビード
１０  突起
１１  ワイヤ
１２  リール
【図１】
2009014109.tif 000003
【図２】
2009014109.tif 000004
【図３】
2009014109.tif 000005